(57)【要約】【課題】デジタル機器に内蔵されたメモリスティックがデータをダウンロードする場合だけメモリスティックを動作させる電源を供給してメモリスティックのデータ損失及び電源の損失を最小化する携帯可能な貯蔵媒体保護装置及びその方法を提供する。【解決手段】所定のデータが貯蔵された携帯可能な貯蔵媒体と、前記貯蔵媒体からデータがダウンロードされる場合にのみ、前記貯蔵媒体動作のための電源を供給して前記貯蔵媒体の動作を保護する保護手段とを含む携帯可能な貯蔵媒体保護装置。これにより、デジタル機器に内蔵されたメモリスティックがデータをダウンロードする場合だけメモリスティックを動作させる電源を供給してメモリスティックのデータ損失及び電源の損失を最小化できる。【選択図】　図１
2004030662.tif 000002
【特許請求の範囲】
【請求項１】
所定のデータが貯蔵された移動可能な貯蔵媒体と、
前記貯蔵媒体からデータがダウンロードされる場合にのみ、前記貯蔵媒体動作のための電源を供給して前記貯蔵媒体の動作を保護する保護手段とを含む携帯可能な貯蔵媒体保護装置。
【請求項２】
前記保護手段は、
前記貯蔵媒体に電源供給有無をスイッチングするスイッチング部と、
前記貯蔵媒体のデータ入出力をチェックして前記貯蔵媒体からデータがダウンロードされる場合にのみ前記スイッチング部を動作させて前記貯蔵媒体に電源が供給されるように制御する制御部とを含むことを特徴とする請求項１に記載の携帯可能な貯蔵媒体保護装置。
【請求項３】
前記制御部は、
前記貯蔵媒体からダウンロードされたデータを一時貯蔵するバッファを含むことを特徴とする請求項２に記載の携帯可能な貯蔵媒体保護装置。
【請求項４】
（ａ）携帯可能な貯蔵媒体からデータをダウンロードするかどうかを判断する段階と、
（ｂ）前記（ａ）段階の判断結果によって前記貯蔵媒体を動作させる電源を供給するかどうかを決定する段階とを含む携帯可能な貯蔵媒体保護方法。
【請求項５】
前記貯蔵媒体からデータがダウンロードされる場合に前記貯蔵媒体を動作させる電源を供給し、そうでない場合に前記貯蔵媒体への電源供給を遮断することを特徴とする請求項４に記載の携帯可能な貯蔵媒体保護方法。
【発明の詳細な説明】
【０００１】
【発明の属する技術分野】
本発明は、保護装置及び方法に係り、より詳細にはデジタル機器に内蔵されたメモリスティックがデータをダウンロードする場合だけメモリスティックを動作させる電源を供給してメモリスティックのデータ損失及び電源の損失を最小化する携帯可能な貯蔵媒体保護装置及びその方法に関する。
【０００２】
【従来の技術】
メモリスティックは、フラッシュメモリの一種であって新開発された記録メディアである。メモリスティックは、スマートメディアのようにコントローラを搭載していないために２１．５×５０×２．８ｍｍ（縦×横×厚さ）に小型化されて機器の小型化およびデザインの自由度が高いことが特徴である。デジタルカメラ、ＭＰ３、ＤＶＤプレーヤーなどのデジタル機器が広く普及されるにつれて、コンパクトなサイズに高容量のデータを貯蔵できるメモリスティックがデジタル機器に内蔵されて発売されているのが実情である。
【０００３】
ところが、メモリスティックが内蔵されたデジタル機器の電源がオンされた状態でメモリスティックを取り出す場合、メモリスティックに貯蔵されたデータが損傷して高価なメモリスティックを使用できなくなる恐れがある。
【０００４】
【発明が解決しようとする課題】
本発明が解決しようとする技術的な課題は、デジタル機器に内蔵されたメモリスティックがデータをダウンロードする場合だけメモリスティックを動作させる電源を供給してメモリスティックのデータ損失及び電源の損失を最小化する携帯可能な貯蔵媒体保護装置を提供することである。
【０００５】
本発明が解決しようとする他の技術的な課題は、デジタル機器に内蔵されたメモリスティックがデータをダウンロードする場合だけメモリスティックを動作させる電源を供給してメモリスティックのデータ損失及び電源の損失を最小化する携帯可能な貯蔵媒体保護方法を提供することである。
【０００６】
【課題を解決するための手段】
本発明の技術的な課題を解決するための携帯可能な貯蔵媒体保護装置は、所定のデータが貯蔵された移動可能な貯蔵媒体と、前記貯蔵媒体からデータがダウンロードされる場合にのみ、前記貯蔵媒体動作のための電源を供給して前記貯蔵媒体の動作を保護する保護手段とを含むことが望ましい。
【０００７】
本発明において、前記保護手段は、前記貯蔵媒体に電源供給有無をスイッチングするスイッチング部と、前記貯蔵媒体のデータ入出力をチェックして前記貯蔵媒体からデータがダウンロードされる場合にのみ前記スイッチング部を動作させて前記貯蔵媒体に電源が供給されるように制御する制御部とを含むことを特徴とする。
【０００８】
本発明において、前記制御部は、前記貯蔵媒体からダウンロードされたデータを一時貯蔵するバッファを含むことを特徴とする。
【０００９】
本発明の技術的な課題を解決するための携帯可能な貯蔵媒体保護方法は、（ａ）携帯可能な貯蔵媒体からデータをダウンロードするかどうかを判断する段階と、（ｂ）前記（ａ）段階の判断結果によって前記貯蔵媒体を動作させる電源を供給するかどうかを決定する段階とを含むことが望ましい。
【００１０】
本発明において、前記貯蔵媒体からデータがダウンロードされる場合に前記貯蔵媒体を動作させる電源を供給し、そうでない場合に前記貯蔵媒体への電源供給を遮断することを特徴とする。
【００１１】
【発明の実施の形態】
以下、添付した図面を参照して本発明を詳細に説明する。
図１は、本発明による携帯可能な貯蔵媒体保護装置の構成を示すブロック図であって、ディスク１００、サーボ制御部１０１、データプロセッサー１０２、オーディオ／ビデオ（Ａ／Ｖ）デコーダ１０３、ユーザインターフェース制御部１０４、ＯＳＤ（Ｏｎ　Ｓｃｒｅｅｎ　Ｄｉｓｐｌａｙ）制御部１０５、ＲＯＭ（Ｒｅａｄ　Ｏｎｌｙ　Ｍｅｍｏｒｙ）１０６、メモリスティック保護部１０７、メモリスティック１０８、システム制御部１０９で構成される。
【００１２】
図２は、図１のうちメモリスティック保護部の詳細図であって、メモリスティック制御部１０７−１、電源供給スイッチング部１０７−２で構成される。
【００１３】
図３は、本発明による携帯可能な貯蔵媒体保護方法の動作を示すフローチャートであって、デジタル機器内にメモリスティックが感知されたかどうかを判断する段階（３００）、メモリスティック内のデータをバッファにダウンロードするかどうかを判断する段階（３０１）、保護スイッチをオンさせて電源を供給することによってメモリスティック内のデータをバッファにダウンロードする段階（３０２）、データダウンロードが完了したかどうかを判断する段階（３０３）、保護スイッチをオフさせて電源を遮断する段階（３０４）で構成される。
【００１４】
次いで、図１〜図３を参照して本発明を詳細に説明する。
サーボ制御部１０１は、ディスク１００を回転させてデータを読取るためのサーボを制御する。
データプロセッサー１０２は、サーボ制御部１０１内の光ピックアップ（図示せず）により読取された信号をオーディオ及びビデオ信号に分離して出力のための信号に処理する。
【００１５】
Ａ／Ｖデコーダ１０３は、データプロセッサー１０２から出力されるオーディオ及びビデオ信号をデコーディングして出力する。
ユーザインターフェース制御部１０４は、ユーザとデジタル機器（ここではＤＶＤを例とする）間のインターフェースのためのフロントキー、リモコンキーの受信及び再生時間などの再生情報をＦＬＴ（Ｆｌｕｏｒｅｓｃｅｎｃｅ　Ｌｉｇｈｔ　Ｔｕｂｅ）（図示せず）にディスプレイする。
【００１６】
ＯＳＤ制御部１０５は、デコーディングされ、ビデオ信号にＯＳＤ信号を合成して画面に出力されるようにＯＳＤ信号の出力を制御する。
ＲＯＭ　１０６は、ＤＶＤプレーヤー再生のための各種プログラム及びデータを貯蔵する。
メモリスティック１０８は、ユーザデータが貯蔵されたメモリであって、ＤＶＤプレーヤーから分離できる。
【００１７】
メモリスティック保護部１０７は、メモリスティック１０８のデータ及び電源の損失を防止するためのブロックであって、図２を参照して説明する。メモリスティック保護部１０７はバッファ（図示せず）を内蔵し、メモリスティック１０８保護を全般的に制御するメモリスティック制御部１０７−１及びメモリスティック制御部１０７−１の制御下でメモリスティック１０８に電源を供給する電源供給スイッチング部１０７−２を含む。
【００１８】
メモリスティック保護部１０７は、メモリスティック１０８がメモリスティック制御部１０７−１内のバッファにデータをダウンロードする間だけ電源供給スイッチング部１０７−２を動作させてメモリスティック１０８に電源を供給する。その他の場合にはメモリスティック制御部１０７−１は、電源供給スイッチング部１０７−２を動作させずにメモリスティック１０８への電源供給を遮断する。ＤＶＤプレーヤーの再生時に、ＤＶＤプレーヤーはメモリスティック制御部１０７−１内のバッファにダウンロードされたデータを有して再生するので他の問題はない。
【００１９】
このような方式を使用する場合、メモリスティック１０８のデータをメモリスティック制御部１０７−１内のバッファにダウンロードする最小限の時間にのみメモリスティック１０８に電源が供給される。したがって、メモリスティック１０８内のデータ損失を最小化できると共に電源損失を減らしてバッテリーを使用する携帯用機器に有用である。
【００２０】
システム制御部１０９は、ＤＶＤプレーヤーの動作を全般的に制御する。
図３を参照して携帯可能な貯蔵媒体保護方法を説明すると、デジタル機器内にメモリスティック１０８が感知されたかどうかを判断する（３００段階）。メモリスティック１０８の感知はシステムを全般的に制御するシステム制御部１０９で判断する。
【００２１】
デジタル機器内にメモリスティック１０８が感知された場合、メモリスティック１０８内のデータをメモリスティック制御部１０７−１内のバッファにダウンロードするかどうかを判断する（３０１段階）。ユーザインターフェース制御部１０４は、ユーザにより入力されるダウンロードキーを受信してシステム制御部１０９に伝送し、システム制御部１０９はメモリスティック保護部１０７を動作させる。
【００２２】
メモリスティック１０８内のデータをメモリスティック制御部１０７−１内のバッファにダウンロードする場合、電源供給スイッチング部１０７−２をオンさせてメモリスティック１０８に電源を供給することによってメモリスティック１０８内のデータをメモリスティック制御部１０７−１のバッファにダウンロードする（３０２段階）。
【００２３】
メモリスティック１０８内のデータをメモリスティック制御部１０７−１内のバッファにダウンロードし終わった場合、保護スイッチング部１０７−１をオフさせてメモリスティック１０８への電源供給を遮断する（３０３、３０４段階）。
【００２４】
メモリスティック保護部１０７は、メモリスティック１０８がメモリスティック制御部１０７−１内のバッファにデータをダウンロードする間だけ電源供給スイッチング部１０７−２をオンさせてメモリスティック１０８に電源を供給する。その他の場合にはメモリスティック制御部１０７−１は、電源供給スイッチング部１０７−２をオフさせてメモリスティック１０８への電源供給を遮断する。ＤＶＤプレーヤー再生時に、ＤＶＤプレーヤーはメモリスティック制御部１０７−１内のバッファにダウンロードされたデータを有して再生するので他の問題はない。
【００２５】
このような方式を使用する場合、メモリスティック１０８のデータをメモリスティック制御部１０７−１内のバッファにダウンロードする最小限の時間にのみメモリスティック１０８に電源が供給される。したがって、メモリスティック１０８内のデータ損失を最小化できると同時に電源損失を減らしてバッテリーを使用する携帯用機器に有用である。
【００２６】
本発明は前記実施例に限定されず、本発明の思想内で当業者による変形が可能である。
【００２７】
【発明の効果】
前記のように本発明によれば、デジタル機器に内蔵されたメモリスティックがデータをダウンロードする場合だけメモリスティックを動作させる電源を供給してメモリスティックのデータ損失及び電源の損失を最小化できる。
【図面の簡単な説明】
【図１】本発明による携帯可能な貯蔵媒体保護装置の構成を示すブロック図である。
【図２】図１のうちメモリスティック保護部の詳細図である。
【図３】本発明による携帯可能な貯蔵媒体保護方法の動作を示すフローチャートである。
【符号の説明】
１００　　ディスク
１０１　　サーボ制御部
１０２　　データプロセッサー
１０３　　Ａ／Ｖデコーダ
１０４　　ユーザインターフェース制御部
１０５　　ＯＳＤ制御部
１０６　　ＲＯＭ
１０７　　メモリスティック保護部
１０８　　メモリスティック
１０９　　システム制御部
【図１】
2004030662.tif 000003
【図２】
2004030662.tif 000004
【図３】
2004030662.tif 000005